(57)【要約】【課題】  浅いベースカーブを用いることによりレンズの薄型化を実現しつつ、広い明視域を有する累進屈折力レンズを提供すること。【解決手段】  前面が累進面であり、遠用領域内で主注視線に沿ってフィッティングポイント(原点)から上方に離れるにしたがい、主注視線方向の面屈折力がこれに垂直な方向の面屈折力よりも大きい領域と、主注視線方向これに垂直な方向の面屈折力が等しくなる点と、主注視線方向の面屈折力がこれに垂直な方向の面屈折力よりも小さい領域とが連続し、以下の条件を満足する。  Pm(25) ＞ Ps(25)  Pm(35) ＜ Ps(35)ただし、  Pm(Y)：原点から上方にY(単位：mm)の主注視線上の点における主注視線方向の面屈折力(単位：Ｄ)、  Ps(Y)：原点から上方にY(単位：mm)の主注視線上の点における主注視線に対して垂直な方向の面屈折力(単位：Ｄ)である。【選択図】  図１
2005201993.tif 000002
【特許請求の範囲】
【請求項１】
上方に位置して遠方視に対応する遠用領域と、下方に位置して近方視に対応する近用領域と、前記遠用領域から前記近用領域にかけて屈折力が累進的に変化する中間領域とを有する面を物体側の前面に備え、レンズのほぼ中央を上下に通る主注視線が非臍点状であり、遠用度数が負の累進屈折力レンズにおいて、
前記遠用領域内で前記主注視線に沿ってフィッティングポイントから上方に離れるにしたがい、前記主注視線方向の面屈折力が前記主注視線に対して垂直な方向の面屈折力よりも大きい領域と、前記主注視線方向とこれに対して垂直な方向の面屈折力が等しくなる点と、前記主注視線方向の面屈折力が前記主注視線に対して垂直な方向の面屈折力よりも小さい領域とが連続しており、以下の条件を満足することを特徴とする累進屈折力レンズ。
Pm(25) ＞ Ps(25)
Pm(35) ＜ Ps(35)
ただし、
Pm(Y) ：フィッティングポイントを原点とし、該原点から上方にY(単位：mm)の前記主注視線上の点における前記主注視線方向の面屈折力(単位：Ｄ)、
Ps(Y)  ：フィッティングポイントを原点とし、該原点から上方にY(単位：mm)の前記主注視線上の点における前記主注視線に対して垂直な方向の面屈折力(単位：Ｄ)である。
【請求項２】
上方に位置して遠方視に対応する遠用領域と、下方に位置して近方視に対応する近用領域と、前記遠用領域から前記近用領域にかけて屈折力が累進的に変化する中間領域とを有する面を物体側の前面に備え、レンズのほぼ中央を上下に通る主注視線が非臍点状であり、遠用度数が負の累進屈折力レンズにおいて、
前記主注視線方向の面屈折力と前記主注視線に対して垂直な方向の面屈折力との差である面アスが、前記遠用領域内で前記主注視線に沿ってフィッティングポイントから上方に離れるにしたがい、一旦増加し、その後減少し、ゼロになる点を介して再び増加し、前記フィッティングポイントを原点とし、該原点から上方にY(単位：mm)の主注視線上の点における前記主注視線方向の面屈折力(単位：Ｄ)をPm(Ｙ)、前記主注視線に対して垂直な方向の面屈折力(単位：Ｄ)をPs(Ｙ)、面アスの量(単位：Ｄ)をＡＳ(Ｙ)＝｜Pm(Ｙ)−Ps(Ｙ)｜とすると、Ｙ2＜Ｙ1とした場合、２５≦Ｙ1≦３５を満たすいずれかの点において、
ＡＳ(Ｙ1)＝０
を満たし、０＜Ｙ2＜Ｙ1のいずれかの点において、
ＡＳ(Ｙ２)＞０．２
を満たす極大値を持つことを特徴とする累進屈折力レンズ。
【発明の詳細な説明】
【技術分野】
【０００１】
本発明は、眼の調節力を補助するために使用されるレンズ、特に、主注視線に沿って屈折力が累進的に変化する累進屈折力レンズの改良に関する。
【背景技術】
【０００２】
一般的な累進屈折力レンズの領域の区分を図９に示す。この図に示すように、累進屈折力レンズ１は、レンズ上方に遠方視に対応する遠用領域２、レンズ下方に近方視に対応する近用領域３を有し、両者の中間に、上方から下方に向かって面屈折力が累進的に変化する中間領域４を有する。一般に、物体側となる前面が累進面、眼側となる後面が球面またはトーリック面として構成される。レンズのほぼ中央を上下に通る仮想的な曲線(または直線)ＭＭ'は、主注視線と呼ばれる。視線を上下に移動させるときに違和感を生じさせないように、主注視線上では特に収差を小さく抑える必要がある。
【０００３】
従来の累進屈折力レンズは、上記の主注視線上においてできるだけ非点収差を少なくするために、主注視線に沿った累進面形状が臍状曲線(局部的に面アスのない点が連続して形成される曲線)となるよう設計されていた。このような従来の累進屈折力レンズは、ベースカーブを深く(前面の曲率半径を小さく)すれば、主注視線に沿う非点収差を透過性能評価においても小さくすることが可能であった。
【０００４】
一方、眼鏡レンズには、より快適な装用のために薄型軽量化が望まれており、そのためにはベースカーブはできる限り浅くしたいという要求がある。
【０００５】
ただし、上述した従来の累進屈折力レンズの設計では、ベースカーブを浅くすると、主注視線線上の性能が悪いばかりでなく、主注視線から横方向に離れるにしたがって性能が急に悪くなり、非点収差の少ない快適に明視できる領域(明視域)の幅が狭くなるという問題点が発生する。
【０００６】
なお、特許文献１には、主注視線を非臍点状にすることにより、浅いベースカーブで主注視線から離れた際の性能劣化を抑えるための技術が開示されている。
【特許文献１】特表平１１−５１３１３９号公報
【発明の開示】
【発明が解決しようとする課題】
【０００７】
しかしながら、特許文献１に記載された実施例の累進屈折力レンズは、前面が累進面である場合には主注視線上の面アスがゼロになる点はフィッティングポイントから約19mmの位置であり、面アスは最大で約0.13 Dと小さい。そして、このような設計では、ベースカーブを浅くした際に明視域をあまり広くすることができないという問題がある。
【０００８】
この発明は、上記の従来技術の問題点に鑑みてなされたものであり、浅いベースカーブを用いることによりレンズの薄型化を実現しつつ、広い明視域を有する累進屈折力レンズを提供することを目的とする。
【課題を解決するための手段】
【０００９】
この発明の第１の態様にかかる累進屈折力レンズは、上記の目的を達成させるため、遠方視に対応する遠用領域と、近方視に対応する近用領域と、遠用領域から近用領域にかけて屈折力が累進的に変化する中間領域とを有する面を物体側の前面に備え、レンズのほぼ中央を上下に通る主注視線が非臍点状であり、遠用度数が負であり、遠用領域内で主注視線に沿ってフィッティングポイントから上方に離れるにしたがい、主注視線方向の面屈折力がこれに垂直な方向の面屈折力よりも大きい領域と、主注視線方向これに垂直な方向の面屈折力が等しくなる点と、主注視線方向の面屈折力がこれに垂直な方向の面屈折力よりも小さい領域とが連続することを特徴とする。具体的には、以下の条件を満足する。
【００１０】
Pm(25) ＞ Ps(25)
Pm(35) ＜ Ps(35)
ただし、
Pm(Y)：フィッティングポイントを原点とし、原点から上方にY(単位：mm)の主注視線上の点における主注視線方向の面屈折力(単位：Ｄ)、
Ps(Y)：フィッティングポイントを原点とし、原点から上方にY(単位：mm)の主注視線上の点における主注視線に対して垂直な方向の面屈折力(単位：Ｄ)である。
【００１１】
また、この発明の第２の態様にかかる累進屈折力レンズは、上記と同様に遠用領域、近用領域、中間領域を有する面を物体側の前面に備え、主注視線が非臍点状であり、遠用度数が負であり、主注視線方向の面屈折力とこれに対して垂直な方向の面屈折力との差である面アスが、遠用領域内で主注視線に沿ってフィッティングポイントから上方に離れるにしたがい、一旦増加し、その後減少し、ゼロになる点を介して再び増加することを特徴とする。面アスの量(単位：Ｄ)は、ＡＳ(Ｙ)＝｜Pm(Ｙ)−Ps(Ｙ)｜で表される。具体的には、Ｙ2＜Ｙ1とした場合、２５≦Ｙ1≦３５を満たすいずれかの点において、
ＡＳ(Ｙ1)＝０
を満たし、０＜Ｙ2＜Ｙ1のいずれかの点において、
ＡＳ(Ｙ２)＞０．２
を満たす極大値を持つことを特徴とする。
【００１２】
上述したこの発明の第１、第２の態様によると、主注視線上の性能は理想的な値から外れるが、遠用部全体で評価すると、主注視線から離れたときの性能の急な劣化がなく、比較的広い明視域を確保することができる。
【発明の効果】
【００１３】
この発明にかかる累進屈折力レンズによれば、浅いベースカーブを用いることによりレンズの薄型化を実現しつつ、主注視線から横方向に離れた際の性能の変化を小さく抑え、広い明視域を確保することができる。
【発明を実施するための最良の形態】
【００１４】
以下、この発明にかかる累進屈折力レンズの実施形態を２例と、それぞれの比較例とを図面を参照しつつ説明する。なお、実施形態、比較例のレンズは、いずれも上方に位置して遠方視に対応する遠用領域と、下方に位置して近方視に対応する近用領域と、遠用領域から近用領域にかけて屈折力が累進的に変化する中間領域とを有する面を物体側の前面に備え、レンズのほぼ中央を上下に通る主注視線が非臍点状であり、遠用度数が負の累進屈折力レンズである。遠用領域２、近用領域３、中間領域４の配置、主注視線ＭＭ'の位置等は図９に示される通りである。
【００１５】
遠用領域２内で主注視線ＭＭ'に沿ってフィッティングポイント５から上方に離れるにしたがい、主注視線方向(遠用領域ではメリディオナル方向に一致)の面屈折力Ｐｍがこれに対して垂直な方向(遠用領域ではサジタル方向に一致)の面屈折力Ｐｓよりも大きい領域と、両方向の面屈折力Ｐｍ，Ｐｓが等しくなる点と、主注視線ＭＭ'方向の面屈折力Ｐｍがこれに対して垂直な方向の面屈折力Ｐｓよりも小さい領域とが連続している。具体的には、以下の条件(1),(2)を満たす。
【００１６】
Pm(25) ＞ Ps(25)  …(1)
Pm(35) ＜ Ps(35)  …(2)
ただし、
Pm(Y)：フィッティングポイント５を原点とし、原点から上方にY(単位：mm)の主注視線ＭＭ'上の点における主注視線ＭＭ'方向の面屈折力(単位：Ｄ)、
Ps(Y)：フィッティングポイント５を原点とし、原点から上方にY(単位：mm)の主注視線ＭＭ'上の点における主注視線ＭＭ'に対して垂直な方向の面屈折力(単位：Ｄ)である。
【００１７】
また、主注視線方向の面屈折力Ｐｍとこれに直交する方向の面屈折力Ｐｓとの差である面アスＡＳに着目すると、遠用領域２内で主注視線ＭＭ'に沿ってフィッティングポイント５から上方に離れるにしたがい、一旦増加し、その後減少し、ゼロになる点を介して再び増加する。具体的には、２５≦Ｙ1≦３５を満たすいずれかの点において、条件(3)を満たすと共に、Ｙ2＜Ｙ1とした場合、０＜Ｙ2＜Ｙ1のいずれかの点において、条件(4)を満たす極大値を持つ。
【００１８】
ＡＳ(Ｙ1)＝０  …(3)
ＡＳ(Ｙ２)＞０．２  …(4)
ただし、
ＡＳ(Ｙ)は、ＡＳ(Ｙ)＝｜Pm(Ｙ)−Ps(Ｙ)｜により表される面アスの量(単位：Ｄ)である。
【第１の実施形態】
【００１９】
第１の実施形態の累進屈折力レンズは、ベースカーブ０．５０[D]、遠用度数ＳＰＨ−８．００[D]、加入度数２．００[D]のレンズであり、主注視線を非臍状曲線とした累進面を前面に用いている。以下の表１に、第1の実施形態の累進屈折力レンズの設計値を示す。表１は、フィッティングポイントを原点として上方をプラス、下方をマイナスとした主注視線ＭＭ'上の点の距離Ｙ(単位：ｍｍ)の点における主注視線方向の面屈折力Ｐｍ、これに垂直な方向の面屈折力Ｐｓ、面アスＡＳの値を示す。
【００２０】
【表１】
2005201993.tif 000003
【００２１】
図１は、表１に示される主注視線方向の面屈折力Ｐｍと、これに垂直な方向の面屈折力Ｐｓとの変化を示すグラフである。図１のグラフの縦軸は、フィッティングポイント５を原点とした主注視線ＭＭ'上の点の距離Ｙ(単位：ｍｍ)、横軸は面屈折力(単位：Ｄ)を示す。
【００２２】
表１及び図１に示されるように、フィッティングポイント５(Ｙ＝０)より上側となる遠用領域２内では、フィッティングポイント５から上方に離れるにしたがい、Ｐｍ＞Ｐｓとなる領域、Ｐｍ＝Ｐｓ(ＡＳ＝０)となる点、Ｐｍ＜Ｐｓとなる領域が連続しており、上記の条件(1),(2)を満たしている。また、面アスＡＳは、フィッティングポイント５から上方に離れるにしたがい、一旦増加し、その後減少し、ゼロになる点を介して再び増加しており、主注視線ＭＭ'上のＹ＝１４の点で０．７[D]を越える極大値を有し、同じくＹ＝３０の点でゼロになる。すなわち、条件(3),(4)を満たしている。
【００２３】
主注視線ＭＭ'上での屈折力を表１、図１に示されるように設定すると、主注視線から離れた位置での透過性能評価による非点収差を低減することができる。第1の実施形態の累進屈折力レンズの透過性能評価による非点収差の分布を図２に示す。
【００２４】
次に、上記の第1の実施形態と同一の仕様を持ち、主注視線に沿った性能が最適になるよう(透過非点収差がゼロになるよう)屈折力Ｐｍ，Ｐｓをバランスさせた比較例１について説明する。すなわち、比較例１の累進屈折力レンズは、上記の同じくベースカーブ０．５０[D]、遠用度数ＳＰＨ−８．００[D]、加入度数２．００[D]のレンズであり、累進面を前面に用いている。以下の表２に、比較例１の累進屈折力レンズの設計値を示す。
【００２５】
【表２】
2005201993.tif 000004
【００２６】
図３は、表２に示す主注視線に沿う屈折力Ｐｍ，Ｐｓの変化を示すグラフである。表２及び図３に示されるように、遠用領域２内では常にＰｍ＞Ｐｓであり、Ｐｍ＝Ｐｓ(ＡＳ＝０)となる点やＰｍ＜Ｐｓとなる領域は存在せず、条件(1)を満たすが(2)を満たさない。また、面アスＡＳは、フィッティングポイント５から上方に離れるにしたがい、一旦増加し、その後減少してはいるが、ゼロになる点はなく、面アスの方向は一定である。
【００２７】
図４は、比較例1の累進屈折力レンズの透過性能評価による非点収差の分布を示す。主注視線ＭＭ’に沿って非点収差はほとんど無い。しかし遠用領域内で主注視線ＭＭ'から少し離れると、非点収差が急に増加する。透過非点収差０．５[D]以下の領域を明視域とすると、図２と図４との比較により、明視域の幅は比較例１より第１の実施形態の方が広いことがわかる。
【００２８】
すなわち、比較例1の累進屈折力レンズにおいては、理想の主注視線の形状を満たすことにより、主注視線上の収差は理想的な値になるが、そのために主注視線から離れた領域の形状に無理が生じ、主注視線から離れた際の性能の変化が急であり、遠用領域全体で評価すると良好な性能が得られない。これに対して、第1の実施形態では、主注視線を理想の形状から変えることにより、性能の急な変化を抑え、遠用領域全体で評価したときには良好な性能が得られる。
【第２の実施形態】
【００２９】
第2の実施形態の累進屈折力レンズは、ベースカーブ２．００[D]、遠用度数ＳＰＨ−４．００[D]、加入度数２．００[D]のレンズであり、主注視線を非臍状曲線とした累進面を前面に用いている。以下の表３に、第２の実施形態の累進屈折力レンズの設計値を示す。
【００３０】
【表３】
2005201993.tif 000005
【００３１】
図５は、表３に示される主注視線方向の面屈折力Ｐｍと、これに垂直な方向の面屈折力Ｐｓの変化を示すグラフである。
【００３２】
表３及び図５に示されるように、フィッティングポイント５(Ｙ＝０)より上側となる遠用領域２内では、フィッティングポイント５から上方に離れるにしたがい、Ｐｍ＞Ｐｓとなる領域、Ｐｍ＝Ｐｓ(ＡＳ＝０)となる点、Ｐｍ＜Ｐｓとなる領域が連続しており、上記の条件(1),(2)を満たしている。また、面アスＡＳは、フィッティングポイント５から上方に離れるにしたがい、一旦増加し、その後減少し、ゼロになる点を介して再び増加しており、主注視線ＭＭ'上のＹ＝１４の点で０．５[D]程度の極大値を有し、同じくＹ＝３０付近の点でゼロになる。すなわち、条件(3),(4)を満たしている。
【００３３】
主注視線ＭＭ'上での屈折力を図５に示されるように設定すると、主注視線から離れた位置での透過性能評価による非点収差を低減することができる。第２の実施形態の累進屈折力レンズの透過性能評価による非点収差の分布を図６に示す。
【００３４】
次に、上記の第２の実施形態と同一の仕様を持ち、主注視線に沿った性能が最適になるよう(透過非点収差がゼロになるよう)屈折力Ｐｍ，Ｐｓをバランスさせた比較例２について説明する。すなわち、比較例２の累進屈折力レンズは、上記の同じくベースカーブ２．００[D]、遠用度数ＳＰＨ−４．００[D]、加入度数２．００[D]のレンズであり、累進面を前面に用いている。以下の表４に、比較例２の累進屈折力レンズの設計値を示す。
【００３５】
【表４】
2005201993.tif 000006
【００３６】
図７は、表４に示す主注視線に沿う屈折力Ｐｍ，Ｐｓの変化を示すグラフである。表４及び図７に示されるように、遠用領域２内では常にＰｍ＞Ｐｓであり、Ｐｍ＝Ｐｓ(ＡＳ＝０)となる点やＰｍ＜Ｐｓとなる領域は存在せず、条件(1)を満たすが(2)を満たさない。また、面アスＡＳは、フィッティングポイント５から上方に離れるにしたがい、一旦増加し、その後減少してはいるが、ゼロになる点はない。
【００３７】
図８は、比較例２の累進屈折力レンズの透過性能評価による非点収差の分布を示す。主注視線ＭＭ’に沿って非点収差はほとんど無い。しかし、全体的に主注視線から横方向に離れた領域での収差発生量の変化が急であり、特に中間領域４の側方において非点収差の発生量が大きい。
【００３８】
すなわち、比較例２の累進屈折力レンズにおいては、理想の主注視線の形状を満たすことにより、主注視線上の収差は理想的な値になるが、そのために主注視線から離れた領域の形状に無理が生じ、主注視線から離れた際の性能の変化が急であり、全体で評価すると良好な性能が得られない。これに対して、第２の実施形態では、主注視線を理想の形状から変えることにより、性能の急な変化を抑え、全体で評価したときには良好な性能が得られる。
【図面の簡単な説明】
【００３９】
【図１】第1の実施形態の累進屈折力レンズの主注視線上における主注視線方向とこれに垂直な方向の面屈折力の変化を示すグラフである。
【図２】第1の実施形態の累進屈折力レンズの透過非点収差分布図である。
【図３】比較例１の累進屈折力レンズの主注視線上における主注視線方向とこれに垂直な方向の面屈折力の変化を示すグラフである。
【図４】比較例１の累進屈折力レンズの透過非点収差分布図である。
【図５】第２の実施形態の累進屈折力レンズの主注視線上における主注視線方向とこれに垂直な方向の面屈折力の変化を示すグラフである。
【図６】第２の実施形態の累進屈折力レンズの透過非点収差分布図である。
【図７】比較例２の累進屈折力レンズの主注視線上における主注視線方向とこれに垂直な方向の面屈折力の変化を示すグラフである。
【図８】比較例２の累進屈折力レンズの透過非点収差分布図である。
【図９】一般的な累進屈折力レンズの領域の区分を示す説明図である。
【符号の説明】
【００４０】
１    累進屈折力レンズ
２    遠用領域
３    近用領域部
４    中間領域
５    フィッティングポイント
ＭＭ’  主注視線
【図１】
2005201993.tif 000007
【図２】
2005201993.tif 000008
【図３】
2005201993.tif 000009
【図４】
2005201993.tif 000010
【図５】
2005201993.tif 000011
【図６】
2005201993.tif 000012
【図７】
2005201993.tif 000013
【図８】
2005201993.tif 000014
【図９】
2005201993.tif 000015